(57)【要約】【課題】第１剤および第２剤のうちの一方を略定量に計量し、これを他方に接触させた後に注出することが可能な注出容器を提供する。【解決手段】注出容器１０は、液状の第１剤が収容される容器本体１と、注出孔２２ａが形成されるとともに、容器本体の口部１ａに装着された装着キャップ２と、を備える。装着キャップは、第１剤の導入孔２ａが形成され、かつ第２剤が収容される第２剤収容部３２と、第２剤収容部の下方に配設された貯留部４０と、貯留部内と注出孔とを連通する連通部２ｂと、を有し、第２剤収容部には、導入孔より下方に位置し、かつ第２剤収容部内と貯留部内とを連通する滴下孔３２ｂが形成されている。【選択図】図１
2018122879.tif 000002
【特許請求の範囲】
【請求項１】
液状の第１剤が収容される容器本体と、
注出孔が形成されるとともに、前記容器本体の口部に装着された装着キャップと、を備え、
前記装着キャップは、
前記第１剤の導入孔が形成され、かつ第２剤が収容される第２剤収容部と、
前記第２剤収容部の下方に配設された貯留部と、
前記貯留部内と前記注出孔とを連通する連通部と、を有し、
前記第２剤収容部には、前記導入孔より下方に位置し、かつ前記第２剤収容部内と前記貯留部内とを連通する滴下孔が形成されていることを特徴とする、注出容器。
【請求項２】
前記導入孔の開口面積は、前記滴下孔の開口面積より大きいことを特徴とする、請求項１に記載の注出容器。
【請求項３】
前記貯留部内と前記容器本体内とが、前記連通部を通じて連通していることを特徴とする、請求項１または２に記載の注出容器。
【請求項４】
前記装着キャップには、前記第２剤収容部内に連通する補充孔が設けられ、
前記補充孔内には、補充キャップが着脱可能に嵌め込まれている、請求項１から３のいずれか１項に記載の注出容器。
【発明の詳細な説明】
【技術分野】
【０００１】
本発明は、注出容器に関する。
【背景技術】
【０００２】
従来から、下記特許文献１に示されるような二剤混合容器が知られている。この二剤混合容器は、第１剤が収容される第１剤収容部と、第１収容部の上方に設けられ、第２剤が収容される第２剤収容部と、第２剤収容部の下端部を閉塞する底蓋と、を備えている。この二剤混合容器を操作すると、底蓋が外れて第２剤収容部内の第２剤が第１剤収容部に向けて落下し、第１剤と第２剤とが混合される。
【先行技術文献】
【特許文献】
【０００３】
【特許文献１】特開２００３−２９２０５９号公報
【発明の概要】
【発明が解決しようとする課題】
【０００４】
この種の容器では、第１剤および第２剤のうちの一方を簡易的に略定量に計量し、これを他方に接触させた後に注出させることが望まれている。これに対して、特許文献１に開示された構成では、使用に際して第１剤および第２剤のほぼ全量同士が混合されるため、上記の要求に応えることが難しかった。
【０００５】
本発明はこのような事情を考慮してなされたもので、第１剤および第２剤のうちの一方を略定量に計量し、これを他方に接触させた後に注出可能な注出容器を提供することを目的とする。
【課題を解決するための手段】
【０００６】
上記課題を解決するために、本発明の注出容器は、液状の第１剤が収容される容器本体と、注出孔が形成されるとともに、前記容器本体の口部に装着された装着キャップと、を備え、前記装着キャップは、前記第１剤の導入孔が形成され、かつ第２剤が収容される第２剤収容部と、前記第２剤収容部の下方に配設された貯留部と、前記貯留部内と前記注出孔とを連通する連通部と、を有し、前記第２剤収容部には、前記導入孔より下方に位置し、かつ前記第２剤収容部内と前記貯留部内とを連通する滴下孔が形成されていることを特徴とする。
【０００７】
本発明によれば、注出容器を傾けると、容器本体内の液状の第１剤が、導入孔を通じて第２剤収容部内に流入する。その後、注出容器を正立姿勢とすると、第２剤収容部内に流入した第１剤のうち、導入孔より上方に位置する部分が、導入孔を通じて第２剤収容部内から容器本体内へと流出する。このため、第２剤収容部には、略定量の第１剤が留まることとなる。このように第２剤収容部に留まった略定量の第１剤は、第２剤と接触することでその性質が変えられた後、第２剤収容部に形成された滴下孔を通じて、貯留部内に順次滴下する。その後、再び注出容器を傾けることで、貯留部内の性質が変えられた第１剤が連通部を通じて注出孔から注出されるのと同時に、容器本体内の第１剤が導入孔を通じて第２剤収容部内に再び流入し、上述した作用が繰り返される。
以上のように、本発明の注出容器によれば、第２剤に接触した略定量の第１剤を注出させるとともに、次回の注出に備えて第１剤を略定量に計量して第２剤に接触させることができる。
【０００８】
ここで、前記導入孔の開口面積は、前記滴下孔の開口面積より大きくてもよい。
【０００９】
この場合、導入孔の開口面積が滴下孔の開口面積より大きいため、注出容器を傾けてから正立姿勢に戻した際に、導入孔から第２剤収容部内に流入した余分な第１剤を本体容器内に速やかに流出させて、第２剤収容部内に留まる第１剤の量を安定させることができる。
【００１０】
また、前記貯留部内と前記容器本体内とが、前記連通部を通じて連通していてもよい。
【００１１】
この場合、注出容器を傾けた際に、注出孔が閉塞された状態であっても、第２剤収容部内の空気を、滴下孔および連通部を通じて容器本体内に流入させつつ、容器本体内の第１剤を、導入孔を通じて第２剤収容部内に円滑に流入させることができる。
さらに、第２剤と接触した第１剤が滴下孔から貯留部内に向けて滴下する際に、注出孔が閉塞されている場合であっても、貯留部内の空気が連通部を通じて容器本体内に移動可能であるため、滴下孔から滴下する液体と貯留部内の空気とが円滑に置換される。これにより、注出孔が閉塞されている場合と閉塞されていない場合とで、滴下孔から液体が滴下する時間間隔等を同等にすることができる。
【００１２】
また、前記装着キャップには、前記第２剤収容部内に連通する補充孔が設けられ、前記補充孔内には、補充キャップが着脱可能に嵌め込まれていてもよい。
【００１３】
この場合、注出容器を繰り返し使用することで、例えば第２剤による第１剤の性質を変化させる効能が低下したり、第２剤が第１剤に溶出して残量が少なくなったりした際に、補充キャップを取り外すことで補充孔を開放させ、この補充孔を通じて第２剤収容部内の第２剤を交換したり、この補充孔を通じて第２剤を補充したりすることができる。
【発明の効果】
【００１４】
本発明によれば、第１剤および第２剤のうちの一方を略定量に計量し、これを他方に接触させた後に注出することが可能な注出容器を提供することができる。
【図面の簡単な説明】
【００１５】
【図１】第１実施形態に係る注出容器の縦断面図である。
【図２】図１の注出容器の使用方法を説明する図である。
【図３】第２実施形態に係る注出容器の縦断面図である。
【発明を実施するための形態】
【００１６】
（第１実施形態）
以下、本実施形態に係る注出容器の構成を、図１〜図２を参照しながら説明する。なお、以下の説明に用いる各図面では、各部材を認識可能な大きさとするため縮尺を適宜変更している。
注出容器１０は、液状の第１剤Ｐが収容される有底筒状の容器本体１と、容器本体１の口部１ａに装着された装着キャップ２と、を備えている。第１剤Ｐとしては、例えば水分を含んだ化粧水や液体洗剤などが用いられる。
【００１７】
ここで本実施形態では、容器本体１の中心軸線Ｏに沿う方向を上下方向といい、上下方向における容器本体１の底部側を下方といい、口部１ａ側を上方という。また、上下方向から見た平面視において、中心軸線Ｏに直交する方向を径方向といい、中心軸線Ｏ回りに周回する方向を周方向という。また、平面視において、後述するヒンジ部２３から操作部２１ｃに向かう方向を前後方向といい、前後方向における操作部２１ｃ側を前方、ヒンジ部２３側を後方という。
【００１８】
装着キャップ２は、容器本体１の口部１ａに螺着されたキャップ本体２０と、キャップ本体２０に取り付けられた計量筒部材３０と、計量筒部材３０の下端部に取り付けられた有底筒状の貯留部材４０（貯留部）と、を備えている。なお、図示の例ではキャップ本体２０、計量筒部材３０、および貯留部材４０は別体に形成されているが、これらは一体に形成されていてもよい。また、容器本体１、キャップ本体２０、計量筒部材３０、および貯留部材４０は、内部が視認可能に、例えば透明な樹脂材料などによって形成されていてもよい。
【００１９】
（キャップ本体）
キャップ本体２０は、容器本体１の口部１ａに固定された有頂筒状の固定部２２と、固定部２２にヒンジ部２３を介して連結された有頂筒状の開閉蓋２１と、を備えている。固定部２２および開閉蓋２１の中心軸線は、容器本体１の中心軸線Ｏと同軸上に位置している。開閉蓋２１は、固定部２２の上方に設けられ、固定部２２および容器本体１に対してヒンジ部２３回りに回動可能となっている。
【００２０】
固定部２２には、その頂壁を上下方向に貫通する注出孔２２ａと、この頂壁から上方に向けて延びる注出筒２２ｃと、この頂壁から下方に向けて延びる小筒部２２ｂおよび大筒部２２ｄと、が形成されている。注出孔２２ａ、注出筒２２ｃ、小筒部２２ｂ、および大筒部２２ｄは、容器本体１の口部１ａの径方向内側に位置している。注出孔２２ａおよび注出筒２２ｃは中心軸線Ｏよりも前方（操作部２１ｃ側）に位置しており、注出孔２２ａおよび注出筒２２ｃの内面は互いに連なっている。注出孔２２ａは、大筒部２２ｄの径方向内側に位置している。注出筒２２ｃの上端部は、上方に向かうに従って漸次拡径している。
【００２１】
大筒部２２ｄは、小筒部２２ｂより大径であり、小筒部２２ｂを囲繞している。大筒部２２ｄの中心軸線は、容器本体１の中心軸線Ｏと同軸上に位置している。小筒部２２ｂの中心軸線は、容器本体１の中心軸線Ｏよりも後方（ヒンジ部２３側）に位置している。これにより、小筒部２２ｂの中心軸線は、大筒部２２ｄの中心軸線より後方に位置しており、小筒部２２ｂと大筒部２２ｄとの間に形成された径方向の隙間の幅は、後方に向かうに従って漸次小さくなっている。小筒部２２ｂの下端開口縁の後端部には、下方に向けて延びる規制板２２ｆが形成されている。規制板２２ｆは、後述する第２剤収容部３２内に収容された第２剤Ｓが、容器本体１内に落下するのを抑える。
【００２２】
固定部２２の周壁は、大筒部２２ｄおよび小筒部２２ｂを囲繞している。固定部２２の内周面には、口部１ａの外周面に形成された雄ネジ部と螺合する雌ネジ部が形成されている。上下方向において、固定部２２の周壁の下端部は小筒部２２ｂの下端部より下方に位置しており、小筒部２２ｂの下端部は大筒部２２ｄの下端部より下方に位置している。
【００２３】
開閉蓋２１は、固定部２２に対してヒンジ部２３回りに回動することで、注出孔２２ａを開閉する。開閉蓋２１の頂壁には、下方に向けて延びるシール筒２１ａが形成されている。シール筒２１ａは、注出筒２２ｃ内に嵌合することで、注出孔２２ａをシールする。なお、注出筒２２ｃを設けず、シール筒２１ａが注出孔２２ａ内に嵌合する構成を採用してもよい。開閉蓋２１の周壁の下端部には、径方向外側に向けて突出する操作部２１ｃが形成されている。操作部２１ｃは、中心軸線Ｏを径方向で挟むヒンジ部２３の反対側に配置されている。上下方向において、操作部２１ｃは、シール筒２１ａの下端部より下方に位置している。
【００２４】
（計量筒部材）
計量筒部材３０は、上下方向に延びる外筒部３１と、外筒部３１の内側に形成された上下方向に延びる筒状の第２剤収容部３２と、外筒部３１から上方に向けて延びる嵌合筒部３４と、嵌合筒部３４の上端部から径方向外側に向けて延びる環状のフランジ部３５と、を有している。外筒部３１、第２剤収容部３２、および嵌合筒部３４は、容器本体１の口部１ａの径方向内側に位置している。
【００２５】
外筒部３１は容器本体１の口部１ａよりも小径であり、外筒部３１の中心軸線は口部１ａの中心軸線Ｏよりも前方に位置している。このため、外筒部３１と口部１ａとの間に形成された径方向の隙間の幅は、前方から後方に向かうに従い漸次大きくなっている。外筒部３１の下端部は、上下方向において、口部１ａの下端部よりも下方に位置している。外筒部３１の下端部における内周面には、径方向外側に向けて窪む被係止部３１ｂが形成されている。
【００２６】
第２剤収容部３２内には、第２剤Ｓが収容されている。第２剤Ｓは、第１剤Ｐに溶出するものであってもよく、第１剤Ｐに溶出しないものであってもよい。第２剤Ｓは、粒状、球状、粉状、ブロック状などであってもよい。第２剤Ｓとしては、例えば第１剤Ｐに含まれる水分と反応して水素を生成する水素生成剤や、香料を有し、第１剤Ｐに溶け出す芳香剤などを用いることができる。
【００２７】
第２剤収容部３２の下端部は、外筒部３１の下端部よりも上方に位置している。第２剤収容部３２の下端部には、下方に向かうに従って漸次縮径する縮径部３２ａが形成されている。縮径部３２ａの下端部には、この縮径部３２ａを上下方向に貫く滴下孔３２ｂが形成されている。第２剤収容部３２は外筒部３１よりも小径であり、第２剤収容部３２は外筒部３１内に位置している。このため、第２剤収容部３２と外筒部３１との間には、上下方向に延びる隙間（以下、連通部２ｂという）が形成されている。
【００２８】
第２剤収容部３２の中心軸線は、外筒部３１の中心軸線よりも後方に位置している。第２剤収容部３２の後端部は外筒部３１の後端部と一体に形成されており、この一体に形成された部分の上端部には、この部分を前後方向に貫く貫通孔３１ａが形成されている。貫通孔３１ａは、キャップ本体２０の規制板２２ｆと周方向において同等の位置に配置され、この規制板２２ｆによって部分的に覆われている。貫通孔３１ａの開口面積は、この開口方向から見た規制板２２ｆの表面積より大きく、貫通孔３１ａの内面と規制板２２ｆとの間には、隙間（以下、導入孔２ａという）が形成されている。導入孔２ａの開口面積は、滴下孔３２ｂの開口面積よりも大きい。導入孔２ａは、注出孔２２ａおよび滴下孔３２ｂより後方に位置している。滴下孔３２ｂは、導入孔２ａより下方に位置している。滴下孔３２ｂの下端開口縁は、上下方向において貯留部材４０の上端開口縁より下方に位置しており、径方向において貯留部材４０の内側に位置している。
【００２９】
嵌合筒部３４は、キャップ本体２０の大筒部２２ｄに外嵌されている。フランジ部３５は、キャップ本体２０の固定部２２における頂壁に下方から当接若しくは近接している。フランジ部３５は、容器本体１の口部１ａにおける上端開口縁と上下方向で対向しており、この上端開口縁とフランジ部３５との間には環状のパッキン４が挟まれている。これにより、口部１ａはシールされている。
【００３０】
計量筒部材３０のうち、上下方向において貫通孔３１ａと嵌合筒部３４との間に位置する部分には、外筒部３１から後方に向けて膨出する膨出部３３が形成されている。径方向において、膨出部３３の径方向内側の面は、大筒部２２ｄの内面と同等の位置に配置されている。このため、膨出部３３と小筒部２２ｂとの間には隙間が形成されており、この隙間の径方向の幅は、大筒部２２ｄと小筒部２２ｂとの間の径方向の隙間の幅と同等になっている。これらの隙間の幅は、空気を通し、第１剤Ｐを通さない程度に調整されている。連通部２ｂ、大筒部２２ｄと小筒部２２ｂとの間の隙間、および小筒部２２ｂと膨出部３３との間の隙間を通じて、容器本体１内と連通部２ｂ内とが連通している。
【００３１】
（貯留部材）
貯留部材４０の周壁４１は、計量筒部材３０の外筒部３１内に嵌合している。貯留部材４０は、上下方向において、キャップ本体２０の固定部２２よりも下方に位置している。貯留部材４０の周壁４１における上下方向の中央部には、径方向外側に向けて突出する環状の突き当て部４３が形成されている。周壁４１における突き当て部４３の上方には、径方向外側に向けて突出する環状の係止部４１ａが形成されている。係止部４１ａは、外筒部３１の被係止部３１ｂに係止される。これにより、貯留部材４０の計量筒部材３０に対する上下方向の移動が規制される。貯留部材４０の底壁４２は、下方に向けて凸の曲面状に形成されている。
【００３２】
次に、以上のように構成された注出容器１０の作用について説明する。
【００３３】
操作部２１ｃを操作して開閉蓋２１をヒンジ部２３回りに回動させ、図２（ａ）に示すように注出容器１０を傾けると、容器本体１内の第１剤Ｐが導入孔２ａを通じて第２剤収容部３２内に流入する。このとき、第２剤収容部３２内の空気は、滴下孔３２ｂ、連通部２ｂ、および注出孔２２ａを通じて、注出容器１０の外部に排出される。なお、注出容器１０を傾けた際に、開閉蓋２１が閉じられて注出孔２２ａが閉塞された状態であっても、第２剤収容部３２内の空気は、滴下孔３２ｂ、連通部２ｂ、大筒部２２ｄと小筒部２２ｂとの間の隙間、および小筒部２２ｂと膨出部３３との間の隙間を通って容器本体１内に流入する。このため、注出孔２２ａが閉塞されていても、容器本体１内の第１剤Ｐを、導入孔２ａを通じて第２剤収容部３２内に円滑に流入させることができる。
【００３４】
次に、図２（ｂ）に示すように注出容器１０を正立姿勢に戻すと、第２剤収容部３２内に流入した第１剤Ｐのうち、導入孔２ａよりも上方に位置する部分については、導入孔２ａから流出して容器本体１内に戻る。このため、注出容器１０を正立姿勢に戻した際には、第２剤収容部３２のうち導入孔２ａよりも下方に位置する部分の内容積から、第２剤収容部３２の下端部に堆積している第２剤Ｓの体積を引いた差分の体積の第１剤Ｐが第２剤収容部３２内に留まることとなり、第２剤Ｓに接触する第１剤Ｐを計量して略定量とすることができる。
【００３５】
第２剤収容部３２内に留まっている略定量の第１剤Ｐが、第２剤収容部３２内の下端部に堆積している第２剤Ｓと接触することで、例えば第２剤Ｓが水素生成剤である場合には、この水素生成剤と第１剤Ｐの水分とが反応することで生成された水素が第１剤Ｐに溶け込む。あるいは、第２剤Ｓが芳香剤である場合には、第１剤Ｐと第２剤Ｓとが接触することで、第１剤Ｐに香りがつけられる。このように、第２剤Ｓと接触することで性質を変えられた第１剤（以下、接触液Ｒという）は、滴下孔３２ｂから貯留部材４０内に順次滴下する。このとき、開閉蓋２１が閉じられて注出孔２２ａが閉塞されている場合であっても、貯留部材４０内の空気は、連通部２ｂ、大筒部２２ｄと小筒部２２ｂとの間の隙間、および小筒部２２ｂと膨出部３３との間の隙間を通って容器本体１内に移動するため、貯留部材４０内では空気と接触液Ｒとの置換が円滑に行われる。また、開閉蓋２１が開いている場合には、接触液Ｒが滴下孔３２ｂから滴下するのに伴って、貯留部材４０内の空気が注出孔２２ａから排出される。従って、接触液Ｒを滴下させる際、開閉蓋２１が開いている場合と閉じている場合とで、滴下する時間間隔等が同等となる。
【００３６】
なお、滴下孔３２ｂの内径を適宜変更することで、滴下孔３２ｂから接触液Ｒが滴下する時間間隔や液滴の大きさなどを変更し、第２剤収容部３２内で第１剤Ｐと第２剤Ｓとが接触する時間を容易に調整することができる。これにより、第１剤Ｐおよび第２剤Ｓの種類に応じて、接触液Ｒを容易に所望の品質とすることが可能となる。
【００３７】
次に、図２（ｃ）に示すように注出容器１０を再び傾けると、貯留部材４０内の接触液Ｒが、連通部２ｂ、注出孔２２ａ、および注出筒２２ｃを通じて注出される。このとき、導入孔２ａを通じて容器本体１内の第１剤Ｐが第２剤収容部３２内に流入し、その後再び注出容器１０を正立姿勢とすると、先述したように第２剤収容部３２内に略定量の第１剤Ｐが留まり、これが第２剤Ｓと接触することで接触液Ｒが得られ、この接触液Ｒが滴下孔３２ｂを通じて滴下する。
【００３８】
以上説明したように、本実施形態によれば、装着キャップ２が、第１剤Ｐの導入孔２ａが形成された第２剤収容部３２と、第２剤収容部３２の下方に配設された貯留部材４０と、貯留部材４０内と注出孔２２ａとを連通する連通部２ｂと、を有し、第２剤収容部３２には、導入孔２ａより下方に位置し、かつ第２剤収容部３２内と貯留部材４０内とを連通する滴下孔３２ｂが形成されている。この構成により、注出容器１０を傾けることで貯留部材４０内の接触液Ｒを注出孔２２ａから注出しつつ、次回の注出に備えて第２剤収容部３２内に略定量の第１剤Ｐを留まらせることができる。そして、注出容器１０を正立姿勢とすると、第１剤Ｐが第２剤Ｓと接触しつつ滴下孔３２ｂを通して滴下するため、注出容器１０を傾けた後に正立姿勢とする操作を繰り返すことで、その都度略定量の接触液Ｒを注出させることができる。
【００３９】
また、上記したように、注出容器１０を傾けてから正立姿勢とする際に、第２剤収容部３２内に略定量の第１剤Ｐが留まって第２剤Ｓと接触するため、例えば容器本体１内の第１剤Ｐの全量を第２剤Ｓと接触させる構成と比較して、第１剤Ｐが第２剤Ｓと接触してから、注出孔２２ａから注出されるまでの時間を短くすることができる。これにより、例えば第２剤Ｐとして水素生成剤を用いた場合に、接触液Ｒに溶出した水素が長期間経過することでこの接触液Ｒから抜けてしまうのを抑えることができる。
【００４０】
また、導入孔２ａの開口面積が滴下孔３２ｂの開口面積よりも大きいため、注出容器１０を傾けてから正立姿勢に戻した際に、導入孔２ａから第２剤収容部３２内に流入した余分な第１剤Ｐを容器本体１内に速やかに流出させて、第２剤収容部３２内に留まる第１剤Ｐの量を安定させることができる。
【００４１】
また、容器本体１、計量筒部材３０、および貯留部材４０を透明な材料により形成した場合には、第２剤収容部３２内の第１剤Ｐおよび第２剤Ｓの状態や、滴下孔３２ｂから滴下する接触液Ｒの様子などを、注出容器１０の外部から視認可能とし、注出容器１０の美感を向上させることができる。さらに、第２剤収容部３２内が視認可能となることで、例えば第２剤収容部３２内に第１剤Ｐが残存した状態で注出容器１０が傾けられ、注出孔２２ａから注出される接触液Ｒの量がばらつくことなどを抑制することができる。
【００４２】
（第２実施形態）
次に、本発明に係る第２実施形態について説明するが、第１実施形態と基本的な構成は同様である。このため、同様の構成には同一の符号を付してその説明は省略し、異なる点についてのみ説明する。
【００４３】
本実施形態では図３に示すように、装着キャップ２に、固定部２２の頂壁を上下方向に貫通する補充孔２２ｅが形成されている。補充孔２２ｅは、小筒部２２ｂの径方向内側に位置し、第２剤収容部３２内に連通している。補充孔２２ｅは、注出孔２２ａおよび注出筒２２ｃよりも後方（ヒンジ部２３側）に位置している。この補充孔２２ｅ内には、補充キャップ３が着脱可能に嵌め込まれている。
【００４４】
また、本実施形態の開閉蓋２１には、その頂壁から下方に向けて延びる筒状の押圧部２１ｂが形成されている。押圧部２１ｂは、上下方向において、補充キャップ３を挟んで補充孔２２ｅと対向している。押圧部２１ｂは、シール筒２１ａの後方（ヒンジ部２３側）に配置されている。上下方向において、押圧部２１ｂの下端部は、シール筒２１ａの下端部より上方に位置している。
【００４５】
本実施形態によれば、注出容器１０を繰り返し使用することで、例えば第２剤Ｓによる第１剤Ｐの性質を変化させる効能が低下したり、第２剤Ｓが第１剤Ｐに溶出して残量が少なくなったりした際に、補充キャップ３を取り外すことで補充孔２２ｅを開放させ、補充孔２２ｅを通じて第２剤収容部３２内の第２剤Ｓを交換したり、第２剤収容部３２内へと第２剤Ｓを補充したりすることができる。
【００４６】
また、第２剤Ｓの補充が完了した後、補充キャップ３を再び補充孔２２ｅに嵌め込む際に、嵌合が不充分であったとしても、開閉蓋２１を閉じることで押圧部２１ｂによって補充キャップ３を補充孔２２ｅに向けて押圧し、補充孔２２ｅを確実に閉塞することができる。
さらに、補充孔２２ｅが注出孔２２ａよりも後方に位置しているため、開閉蓋２１の回動中心となるヒンジ部２３から補充キャップ３までの距離が小さくなり、押圧部２１ｂが補充キャップ３を補充孔２２ｅに向けて押圧する際の操作部２１ｃの操作力を小さく抑えることができる。
【００４７】
なお、本発明の技術的範囲は前記実施の形態に限定されるものではなく、本発明の趣旨を逸脱しない範囲において種々の変更を加えることが可能である。
【００４８】
例えば、前記実施形態では、上下方向において、貯留部材４０がキャップ本体２０の固定部２２よりも下方に位置していると説明したが、これに限られない。例えば、貯留部材４０が固定部２２と上下方向において同等の位置に位置しており、貯留部材４０が固定部２２に覆われていてもよい。この場合であっても、キャップ本体２０を透明な材質で形成することで、接触液Ｒが滴下孔３２ｂから滴下する様子などを、注出容器１０の外部から視認可能とすることができる。
【００４９】
また、前記実施形態では、計量筒部材３０の貫通孔３１ａの内面と規制板２２ｆとの間の隙間が導入孔２ａとされていたが、これに限られず、導入孔２ａは第２剤収容部３２に形成されたスリットなどであってもよい。
【００５０】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５１】
１…容器本体  １ａ…口部  ２…装着キャップ  ２ａ…導入孔  ２ｂ…連通部  １０…注出容器  ２２ａ…注出孔  ３２…第２剤収容部  ３２ｂ…滴下孔  ４０…貯留部材（貯留部）  Ｏ…中心軸線  Ｐ…第１剤  Ｓ…第２剤
【図１】
2018122879.tif 000003
【図２】
2018122879.tif 000004
【図３】
2018122879.tif 000005